(57)【要約】      （修正有）【課題】多数枚の文書を綴じ込んだ状態で、その中間部に新たな文書を綴じ込んだり、中間部にある文書を取り外したりすることが容易にできるようにする。【解決手段】一側端縁から対向縁方向に延びる切欠部が、ファイルの綴じ桿と同じ間隔で複数設けられ、該切欠部の近傍にパンチ孔を有する用紙１を、ファイリング用具２に綴じ込み、ファイルの綴じ桿４２に差し込んで取り付ける。ファイリング用具２は、変形可能な板状体を二つ折りし、その折曲部外側から前記綴じ桿４２を通すため、切欠部とほぼ同形に切り欠いた挿入部を形成する。さらに、二つ折りした一方の内面の前記パンチ孔と対向する位置に係合突起を設け、他方の内面の前記係合突起と対向する位置に、係合突起と係合する係合受部を設け、用紙１の前記パンチ孔に係合突起を通して用紙１をファイリング用具２に固定する。【選択図】図１
0003141353.tif 000002
【実用新案登録請求の範囲】
【請求項１】
一側端縁から対向縁方向に延びる切欠部が、ファイルの綴じ桿と同じ間隔で複数設けられた用紙に、前記切欠部を覆うように設けられ、前記ファイルの綴じ桿に用紙とともに取り付けられるファイリング用具であって、
前記綴じ桿を通すため、前記切欠部と重なる位置に、切欠部とほぼ同形に切り欠いた挿入部を設け、かつ、該挿入部の側縁部に、前記綴じ桿に係止する係止部を設けたことを特徴とするファイリング用具。
【請求項２】
前記切欠部の近傍にパンチ孔を有する用紙に適用され、
変形可能な板状体を二つ折りし、その折曲部外側から前記挿入部を形成し、二つ折りした一方の内面の前記パンチ孔と対向する位置に係合突起を設け、二つ折りした他方の内面の前記係合突起と対向する位置に、係合突起と係合する係合受部を設けたことを特徴とする請求項１に記載のファイリング用具。
【請求項３】
前記各切欠部の周辺部を覆う大きさの板状体で形成され、下面に粘着層を設けたことを特徴とする請求項１に記載のファイリング用具。
【請求項４】
挿入部の側縁部から挿入部内側に向けて、他の部分より肉薄の係止片を設けたことを特徴とする請求項２又は３に記載のファイリング用具。
【請求項５】
前記切欠部の近傍にパンチ孔を有する用紙に適用され、
カバーシートを二つ折りし、その折曲部を挟んで２条の肉厚部を対向させて設け、折曲部外側から肉厚部まで長孔をあけて前記挿入部を形成し、前記一方の肉厚部内面の前記パンチ孔と対向する位置に係合突起を設け、他方の肉厚部内面の前記係合突起と対向する位置に、係合突起と係合する係合受部を設けたことを特徴とする請求項１に記載のファイリング用具。
【請求項６】
前記切欠部の近傍にパンチ孔を有する用紙に適用され、
カバーシートを二つ折りし、その折曲部の片側近傍に、用紙を綴じ込むとともにファイルの綴じ桿に係止させるための係止具を折曲部に沿って設け、折曲部外側から係止具まで長孔をあけて前記挿入部を形成し、前記係止具は、厚さ方向に二つ割りになっていて、一方の内面の前記パンチ孔と対向する位置に係合突起を設け、他方の内面の前記係合突起と対向する位置に、係合突起と係合する係合受部を設け、かつ、係止具の内部に、長手方向にスライドし、前記挿入部の中に出入りして、挿入部を開閉する係止部を有する可動片を設けたことを特徴とする請求項１に記載のファイリング用具。
【請求項７】
前記カバーシートの周縁から突出させて見出し部を設けたことを特徴とする請求項５又は６に記載のファイリング用具。
【考案の詳細な説明】
【技術分野】
【０００１】
本考案は、情報を記録した複数枚の用紙を綴じ込んで整理・保管するためのファイリング用具に関するものである。
【背景技術】
【０００２】
情報を記録した複数枚の用紙を綴じ込んで整理・保管するためのファイリング用具として、従来から、例えば、特許文献１に示されるように、用紙に複数のパンチ孔をあけて、綴じ板に取り付けられた綴じ桿をそれに通すことにより、複数枚の用紙を綴じ込むようにしたものがよく知られている。
【０００３】
従来の一般的なファイリング用具を図１０に示す。図１０に示すように、用紙４３に複数のパンチ孔４４，４４をあけて、それに綴じ板４１に取り付けられた綴じ桿４２，４２を通すことにより、複数枚の用紙を綴じ込むようにしている。このようなファイリング用具を用いれば、多数の文書を整理して保管することができる。
【特許文献１】特開２０００−１０８５６９号公報
【考案の開示】
【考案が解決しようとする課題】
【０００４】
しかしながら、上記従来のファイリング用具には、多数枚の文書を綴じ込んだ状態で、その中間部に新たな文書を綴じ込もうとしたとき、綴じ込もうとしている位置より上側にある全文書を一旦取り外した後、新たな文書を差し込み、さらに、取り外した文書を元に戻すという、大変面倒な作業が必要になるという問題点があった。また、多数枚の文書を綴じ込んだ状態で、その中間部にある文書を取り外そうとしたときも同様に、面倒な作業が必要になるという問題点があった。
【０００５】
本考案は、そのような問題点に鑑み、多数枚の文書を綴じ込んだ状態で、その中間部に新たな文書を綴じ込んだり、中間部にある文書を取り外したりすることが容易にできるようにすることを目的とするものである。
【課題を解決するための手段】
【０００６】
前記課題を解決するため、本願の請求項１にかかる考案は、一側端縁から対向縁方向に延びる切欠部が、ファイルの綴じ桿と同じ間隔で複数設けられた用紙に、前記切欠部を覆うように設けられ、前記ファイルの綴じ桿に用紙とともに取り付けられるファイリング用具であって、前記綴じ桿を通すため、前記切欠部と重なる位置に、切欠部とほぼ同形に切り欠いた挿入部を設け、かつ、該挿入部の側縁部に、前記綴じ桿に係止する係止部を設けたことを特徴とする。
【０００７】
また、本願の請求項２にかかる考案は、請求項１にかかる考案において、前記切欠部の近傍にパンチ孔を有する用紙に適用され、変形可能な板状体を二つ折りし、その折曲部外側から前記挿入部を形成し、二つ折りした一方の内面の前記パンチ孔と対向する位置に係合突起を設け、二つ折りした他方の内面の前記係合突起と対向する位置に、係合突起と係合する係合受部を設けたことを特徴とする。
【０００８】
また、本願の請求項３にかかる考案は、請求項１にかかる考案において、前記各切欠部の周辺部を覆う大きさの板状体で形成され、下面に粘着層を設けたことを特徴とする。
【０００９】
また、本願の請求項４にかかる考案は、請求項２又は３にかかる考案において、挿入部の側縁部から挿入部内側に向けて、他の部分より肉薄の係止片を設けたことを特徴とする。
【００１０】
また、本願の請求項５にかかる考案は、請求項１にかかる考案において、前記切欠部の近傍にパンチ孔を有する用紙に適用され、カバーシートを二つ折りし、その折曲部を挟んで２条の肉厚部を対向させて設け、折曲部外側から肉厚部まで長孔をあけて前記挿入部を形成し、前記一方の肉厚部内面の前記パンチ孔と対向する位置に係合突起を設け、他方の肉厚部内面の前記係合突起と対向する位置に、係合突起と係合する係合受部を設けたことを特徴とする。
【００１１】
また、本願の請求項６にかかる考案は、請求項１にかかる考案において、前記切欠部の近傍にパンチ孔を有する用紙に適用され、カバーシートを二つ折りし、その折曲部の片側近傍に、用紙を綴じ込むとともにファイルの綴じ桿に係止させるための係止具を折曲部に沿って設け、折曲部外側から係止具まで長孔をあけて前記挿入部を形成し、前記係止具は、厚さ方向に二つ割りになっていて、一方の内面の前記パンチ孔と対向する位置に係合突起を設け、他方の内面の前記係合突起と対向する位置に、係合突起と係合する係合受部を設け、かつ、係止具の内部に、長手方向にスライドし、前記挿入部の中に出入りして、挿入部を開閉する係止部を有する可動片を設けたことを特徴とする。
【００１２】
また、本願の請求項７にかかる考案は、請求項５又は６にかかる考案において、前記カバーシートの周縁から突出させて見出し部を設けたことを特徴とする。
【考案の効果】
【００１３】
本考案のファイリング用具は、次のような効果を奏する。
【００１４】
すなわち、請求項１にかかる考案においては、一側端縁から対向縁方向に延びる切欠部が、ファイルの綴じ桿と同じ間隔で複数設けられた用紙に、前記切欠部と重なる位置に、切欠部とほぼ同形に切り欠いた挿入部を設け、かつ、該挿入部の側縁部に、前記綴じ桿に係止する係止部を設け、それを前記切欠部を覆うように設けるようにして、ファイルの綴じ桿に用紙とともに取り付けられるようにした。その結果、多数枚の文書を綴じ込んだ状態で、その中間部に新たな文書を綴じ込んだり、中間部にある文書を取り外したりすることが容易にできるようになる。
【００１５】
また、請求項２にかかる考案においては、請求項１にかかるファイリング用具において、前記切欠部の近傍にパンチ孔を有する用紙に適用され、変形可能な板状体を二つ折りし、その折曲部外側から前記挿入部を形成し、二つ折りした一方の内面の前記パンチ孔と対向する位置に係合突起を設け、二つ折りした他方の内面の前記係合突起と対向する位置に、係合突起と係合する係合受部を設けた。その結果、用紙のパンチ孔にファイリング用具の係合突起を通すことにより、用紙を一体的に綴じ込むことができ、その状態だけでも一つの文書として取り扱い易くなる。
【００１６】
また、請求項３にかかる考案においては、請求項１にかかるファイリング用具において、前記各切欠部の周辺部を覆う大きさの板状体で形成され、下面に粘着層を設けた。その結果、単に、粘着層を使って、用紙の切欠部の上に貼り付けるだけで所期の機能が得られる。
【００１７】
また、請求項４にかかる考案においては、請求項２又は３にかかるファイリング用具において、挿入部の側縁部から挿入部内側に向けて、他の部分より肉薄の係止片を設けたので、挿入部をファイルの綴じ桿に容易に挿入でき、かつ、挿入した後は、確実に保持されるようになる。
【００１８】
また、請求項５にかかる考案においては、請求項１にかかるファイリング用具において、前記切欠部の近傍にパンチ孔を有する用紙に適用され、カバーシートを二つ折りし、その折曲部を挟んで２条の肉厚部を対向させて設け、折曲部外側から肉厚部まで長孔をあけて前記挿入部を形成し、前記一方の肉厚部内面の前記パンチ孔と対向する位置に係合突起を設け、他方の肉厚部内面の前記係合突起と対向する位置に、係合突起と係合する係合受部を設けた。その結果、当該ファイリング用具に用紙を綴じ込んだ状態だけでも一つのカバー付き文書として取り扱えるようになる。
【００１９】
また、請求項６にかかる考案においては、請求項１にかかるファイリング用具において、前記切欠部の近傍にパンチ孔を有する用紙に適用され、カバーシートを二つ折りし、その折曲部の片側近傍に、用紙を綴じ込むとともにファイルの綴じ桿に係止させるための係止具を折曲部に沿って設け、折曲部外側から係止具まで長孔をあけて前記挿入部を形成し、前記係止具は、厚さ方向に二つ割りになっていて、一方の内面の前記パンチ孔と対向する位置に係合突起を設け、他方の内面の前記係合突起と対向する位置に、係合突起と係合する係合受部を設け、かつ、係止具の内部に、長手方向にスライドし、前記挿入部の中に出入りして、挿入部を開閉する係止部を有する可動片を設けた。その結果、当該ファイリング用具に用紙を綴じ込んだ状態だけでも一つのカバー付き文書として取り扱えるようになる上、可動片をスライドさせるだけで、挿入部をファイルの綴じ桿に容易に挿入でき、かつ、挿入した後は、可動片の係止部が綴じ桿に係止されて、ファイリング用具が確実に保持されるようになる。
【００２０】
また、請求項７にかかる考案においては、請求項５又は６にかかるファイリング用具において、前記カバーシートの周縁から突出させて見出し部を設けたので、１冊のファイルに多数のファイリング用具を綴じ込んだとき、それぞれのファイリング用具を容易に見分けられるようになる。
【考案を実施するための最良の形態】
【００２１】
以下、本考案の実施例を図面に基づいて詳細に説明する。
【実施例１】
【００２２】
図１は、本考案の第１実施例を示す図である。図１において、１は用紙、２はファイリング用具、４２はファイルの綴じ桿である。用紙１は、図２に示すように、ファイルの綴じ桿４２の直径よりやや大きい幅で、一側端縁から対向縁方向に延びる切欠部３が、綴じ桿４２，４２と同じ間隔で設けられ、さらに、小径のパンチ孔４が複数設けられている。
【００２３】
そのような用紙１をファイリング用具２に綴じ込んだ状態で、ファイルの綴じ桿４２に対して、図中矢印方向に差し込むことにより、ファイルに取り付ける。ファイリング用具２は、図３に示すような構造になっている。図３（イ）は、正面から見た図、図３（ロ）は、図３（イ）の右方から見た図、図３（ハ）は、図３（イ）の上方から見た図であり、図３（ニ）は、図３（ロ）の円で囲った部分を拡大した図である。
【００２４】
ファイリング用具２は、プラスチック等、変形可能な材料よりなる板状体を二つ折りした形状をしており、その折曲部９の外面に開口する形で、折曲部９の外面から他方に向かって切り欠いて、用紙１の切欠部３と同幅の挿入部５を形成し、その中間部に、側縁から突出するように係止凸部６を設けている。それらの係止凸部６は、ファイリング用具２をファイルの綴じ桿４２に差し込んだとき、綴じ桿４２から抜け落ちないように、綴じ桿４２に係止させるためのものであり、通常は、図３（イ）中、挿入部５の最奥部Ａにおいて綴じ桿４２に係止させる。一方、図３（イ）中、挿入部５の中間部Ｂにおいて綴じ桿４２に係止させることもでき、その状態にすれば、他の文書と一緒にファイルに綴じ込んだ際に、当該ファイリング用具２に綴じ込んだ用紙１のみが文書端部から突き出るようになって、他の文書と区別し易くなる。
【００２５】
また、ファイリング用具２の二つ折りした一方の内面の、用紙１に設けたパンチ孔と対向する位置に係合突起７と係合受部８を設けている。係合受部８は、係合突起７と係合可能になっており、用紙１をファイリング用具２に綴じ込む際に、用紙１のパンチ孔４に係合突起７を通した後、係合受部８と係合させる。そのようにして、ファイリング用具２と用紙１とを一体化させる。なお、ファイリング用具２に綴じ込む用紙１の枚数は、１枚でもよいし、複数枚でもよいが、複数枚ある文書をファイリング用具２に綴じ込めば、ファイルに綴じ込まない状態でも、一つの文書として取り扱い易くなる。
【実施例２】
【００２６】
図４は、本考案の第２実施例を示す図である。この実施例では、用紙１の、それぞれの切欠部３に対して、個別にファイリング用具１０を取り付けるようにしている。図５は、第２実施例のファイリング用具１０を示す図である。図５（イ）は、平面図であり、図５（ロ）は、そのＸ−Ｘ断面図である。図５において、符号１１は挿入部、１２は係止片、１３は粘着層である。このファイリング用具１０は、例えば、柔軟性を有するプラスチック製の板状体により形成することができる。
【００２７】
係止片１２は、他の部分より肉薄で、挿入部１１の側縁部から挿入部内側に向けて設けられている。このようなファイリング用具１０を、挿入部１１が用紙１の切欠部３と一致するようにして、粘着層１３により用紙１に貼り付ける。そのようにしてファイリング用具１０を貼り付けた用紙１を、ファイルの綴じ桿４２に最奥部まで差し込むことにより、ファイルに取り付ける。ファイルの綴じ桿４２に差し込む際には、肉薄の係止片１２が変形して綴じ桿４２が通過し、差し込んだ後は、係止片１２により綴じ桿４２に係止される。
【００２８】
なお、第１実施例における係止凸部６として、この係止片１２と同様な構造を採用することもできる。
【実施例３】
【００２９】
図６は、本考案の第３実施例を示す図である。この実施例では、プラスチック製のカバーシート１４を二つ折りし、その折曲部を挟んで２条の肉厚部１６，１７を対向させて設け、該折曲部の外側から挿入部１８を形成している。そして、第１実施例と同様に、挿入部１８の中間部には、係止凸部１９を設けている。
【００３０】
また、一方の肉厚部１９の内面の、用紙１に設けたパンチ孔４と対向する位置に係合突起２０を設け、他方の肉厚部１７の内面の係合突起２０と対向する位置に、係合突起２０と係合する係合受部２１を設けている。係合受部２１は、係合突起２０と係合可能になっており、用紙１を綴じ込む際に、用紙１のパンチ孔４に係合突起２０を通した後、係合受部２１と係合させる。そのようにして、ファイリング用具１０と用紙１とを一体化させる。
【００３１】
さらに、カバーシート１４には、その周縁から突出させて見出し部１５を設けている。見出し部１５の位置が異なるものを複数種類用意しておけば、１冊のファイルに多数のファイリング用具１０を綴じ込んだとき、それぞれのファイリング用具１０を容易に見分けられるようになる。
【実施例４】
【００３２】
図７は、本考案の第４実施例を示す図である。図７において、２２は係止具、２３は可動片、２６は透孔、２７は可動片操作部、２８は可動片押下釦である。係止具２２は、図８に示すように、二つの部材が中央で折り曲げ自在に連結されており、両部材の対向面には、第１実施例における係合突起７と係合受部８と同様な、係合突起２４と係合受部２５が設けられている。さらに、両部材の折曲部外側から、カバーシート１４と連通する透孔２６が形成されている。
【００３３】
係止具２２の一方の部材の内部には、板状の可動片２３が長手方向にスライド可能な状態に収納されており、バネ３３により、常時は、図の上側に保持されるようになっている。その可動片２３には、可動片２３をスライドさせるための可動片操作部２７，可動片押下釦２８を設けており、また、透孔２６と対応させて開口部２９と係止部３０を設けている。さらに、開口部２９の奥、及び、可動片２３の中央部には、係合突起２４をスライド可能に通すためのスライドスリット３１とスライド孔３２が設けられている。
【００３４】
図９は、第４実施例のファイリング用具の操作を説明するための図である。図３（イ）は、可動片操作部２７，可動片押下釦２８に手を掛けない常時の状態を示し、図３（ロ）は、可動片操作部２７又は可動片押下釦２８を矢印の方向に操作して、可動片２３をスライドさせた状態を示している。
【００３５】
図７に示すような、カバーシート１４に係止具２２が取り付けられた状態で、用紙１を綴じ込む際には、係止具２２を開いて、用紙１のパンチ孔４に係合突起２４を通した後、係止具２２を閉じて係合受部２５と係合させる。そのようにして、用紙１を綴じ込んだ状態で、可動片操作部２７又は可動片押下釦２８を図３の矢印の方向に操作して、可動片２３をスライドさせると、図３（ロ）に示すように、可動片２３の係止部３０が引っ込んで、挿入部が完全に開く。その状態で、ファイルの綴じ桿４２に挿入部を挿入し、可動片操作部２７又は可動片押下釦２８から指を離すと、図３（イ）に示すように、係止部３０が挿入部内に突き出てきて、ファイルの綴じ桿４２から抜けなくなる。
【図面の簡単な説明】
【００３６】
【図１】本考案の第１実施例を示す図である。
【図２】本考案に適用する用紙を示す図である。
【図３】第１実施例のファイリング用具を示す図である。
【図４】本考案の第２実施例を示す図である。
【図５】第２実施例のファイリング用具を示す図である。
【図６】本考案の第３実施例を示す図である。
【図７】本考案の第４実施例を示す図である。
【図８】第４実施例の係止具の構造を示す図である。
【図９】第４実施例のファイリング用具の操作を説明するための図である。
【図１０】従来のファイリング用具を示す図である。
【符号の説明】
【００３７】
１…用紙
２，１０…ファイリング用具
３…切欠部
４…パンチ孔
５，１１，１８…挿入部
６，１９…係止凸部
７，２０，２４…係合突起
８，２１，２５…係合受部
９…折曲部
１２…係止片
１３…粘着層
１４…カバーシート
１５…見出し部
１６，１７…肉厚部
２２…係止具
２３…可動片
２６…透孔
２７…可動片操作部
２８…可動片押下釦
２９…開口部
３０…係止部
３１…スライドスリット
３２…スライド孔
３３…バネ
【図１】
0003141353.tif 000003
【図２】
0003141353.tif 000004
【図３】
0003141353.tif 000005
【図４】
0003141353.tif 000006
【図５】
0003141353.tif 000007
【図６】
0003141353.tif 000008
【図７】
0003141353.tif 000009
【図８】
0003141353.tif 000010
【図９】
0003141353.tif 000011
【図１０】
0003141353.tif 000012